(57)【特許請求の範囲】
【請求項１】
原水に電解質添加装置から電解質溶液を添加して生成される被処理水を電解槽に供給し、同電解槽にて電気分解して電解水を生成するようにした電解水生成装置であり、当該電解水生成装置は、前記電解槽における電解電流を検出する電流センサ、前記被処理水の供給流量を検出する流量センサ、前記電解質溶液の原水に対する添加量を制御する制御装置、および、前記被処理水中の電解質濃度および前記電解質溶液中の電解質濃度を表示する表示手段を備え、同制御装置は、前記電流センサにて検出される電解電流、および、前記流量センサにて検出される被処理水の流量に基づき、前記被処理水中の電解質濃度および前記電解質溶液中の電解質濃度を算出する濃度算出プログラムと、算出された各電解質濃度を前記表示手段に表示する表示機能を有していることを特徴とする電解水生成装置。
【発明の詳細な説明】
【０００１】
【発明の属する技術分野】
本発明は、電解槽に供給される被処理水を同電解槽にて電気分解して電解水を生成するようにした電解水生成装置に関する。
【０００２】
【従来の技術】
電解水生成装置の一つとして、電解質が添加された被処理水を電解槽に供給し同電解槽にて電気分解して電解水を生成するようにしたものがあり、例えば特開平８−８９９６５号公報に示されている。この公報に示されている電解水生成装置においては、水道水等の原水に電解質添加装置から電解質溶液が添加されて被処理水が生成され、また被処理水中の電解質濃度を検出する濃度検出手段の検出値に基づいて濃度制御手段により電解質添加装置による電解質溶液の添加量が制御されて被処理水中の電解質濃度が調整されるようになっている。
【０００３】
【発明が解決しようとする課題】
上記した公報の電解水生成装置においては、被処理水中の電解質濃度を使用者が監視することはできず、使用者が安心して使用できないばかりか、濃度制御手段あるいは電解質添加装置の異常時には適切な対応ができない。なお、制御手段あるいは電解質添加装置の異常時には、被処理水中の電解質濃度が適切に調整されないため、電解槽にて的確な電解がなされず、所期の電解水が得られない。
【０００４】
【課題を解決するための手段】
本発明は、上記した問題に対処すべくなされたものである。本発明に係る電解水生成装置は、原水に電解質添加装置から電解質溶液を添加して生成される被処理水を電解槽に供給し、同電解槽にて電気分解して電解水を生成するようにした電解水生成装置であって、前記電解槽における電解電流を検出する電流センサ、前記被処理水の供給流量を検出する流量センサ、前記電解質溶液の原水に対する添加量を制御する制御装置、および、前記被処理水中の電解質濃度および前記電解質溶液中の電解質濃度を表示する表示手段を備え、同制御装置は、前記電流センサにて検出される電解電流、および、前記流量センサにて検出される被処理水の流量に基づき、前記被処理水中の電解質濃度および前記電解質溶液中の電解質濃度を算出する濃度算出プログラムと、算出された各電解質濃度を前記表示手段に表示する表示機能を有していることを特徴とするものである。
【０００５】
【発明の作用・効果】
本発明に係る電解水生成装置によれば、被処理水中の電解質濃度および電解質溶液中の電解質濃度を制御装置にて算出して、こらの電解質濃度を表示手段に表示することができる。このため、当該電解水生成装置の使用者は、被処理水中の電解質濃度および電解質溶液中の電解質濃度を監視することができて、当該電解水生成装置を安心して使用することができる。また、当該電解水生成装置の使用者は、表示手段に表示される各電解質濃度の異常値から、制御装置あるいは電解質添加装置等の異常を察知して適切な対応を採ることができる。
【０００６】
【発明の実施の形態】
以下に、本発明の一実施形態を図面に基づいて説明する。図１に示した電解水生成装置は、電解槽１０と、この電解槽１０に接続した電解水の排出路２１，２２及び被処理水である希塩水の供給路２３と、この希塩水の供給路２３に接続した水道水の供給路２４及び濃塩水の供給路２５を備えている。
【０００７】
電解槽１０は、希塩水を電気分解して電解水を生成するそれ自体周知のものであり、槽本体１１の内部は隔膜１２によって二つの電解室１３，１４に区画されていて、各電解室１３，１４には直流電源３０（常に一定の電圧を印加する定電圧電源）に接続された電極板１５，１６がそれぞれ配設されている。
【０００８】
電解水の排出路２１，２２は、各電解室１３，１４にそれぞれ連通接続されていて、各電解室１３，１４にて生成される電解水（酸性水とアルカリ性水）をそれぞれ所望の箇所に導くようになっている。希塩水の供給路２３は、中間部にて分岐路２３ａと２３ｂに分岐されていて、各分岐路２３ａ，２３ｂにて各電解室１３，１４にそれぞれ連通接続されている。
【０００９】
水道水の供給路２４は、水道管（図示省略）に接続されるようになっていて、給水弁（常閉型の電磁開閉弁）４１と減圧弁（入口側圧力の如何にかかわらず出口側圧力を入口側圧力よりも低い設定圧力に調整する圧力制御弁）４２と可変形の流量調整弁（可変可能な流量を設定された値に維持する流量制御弁）４３がそれぞれ設けられている。なお、流量調整弁４３に代えて固定形の流量調整弁を用いることも可能である。
【００１０】
濃塩水の供給路２５は、濃塩水タンク５０に接続されていて、電動ポンプ６１とポンプ側への流れを阻止するチェック弁６２が設けられている。電動ポンプ６１は、電磁モータによって往復駆動されて水道水の供給路２４を通して供給される水道水に濃塩水を圧送混合するためのダイアフラムピストン式のポンプであり、１サイクルにて所定量の濃塩水が吐出されるようになっている。なお、濃塩水タンク５０には食塩５１と水道水（適宜補給されて余剰分はオーバーフロー管５３を通して排出される）が収容されていて、食塩５１の上方にできるほぼ飽和状態の濃塩水５２が濃塩水の供給路２５に導かれるようになっている。
【００１１】
また、本実施形態においては、希塩水の供給路２３に同供給路２３を流れる希塩水の流量Ｑを検出する流量センサ７１が設けられるとともに、電極板１５，１６への通電回路に電流計７２が設けられていて、それぞれが検出値を制御装置１００に出力するようになっている。
【００１２】
制御装置１００は、電解スイッチ（ＯＮ・ＯＦＦスイッチ）１０１の操作に基づいて直流電源３０のＯＮ・ＯＦＦ制御と給水弁４１の開閉制御と電動ポンプ６１の起動停止制御を行うとともに電流計７２からの検出値に応じて電動ポンプ６１の吐出流量制御（フィードバック制御）を行う作動制御プログラムと、直流電源３０が印加する電解電圧Ｖと流量センサ７１が検出する希塩水の流量Ｑと電流計７２が検出する電解電流Ｉに基づいて、希塩水の供給路２３を流れる希塩水の濃度ａ及び濃塩水の供給路２５を流れる濃塩水の濃度Ａを、Ｖ＝ＩＲ、ａ＝ｆ（Ｒ）、ｂ＝ａＱ、Ｑ１＝Ｑ−Ｑ２、Ａ＝ｂ／Ｑ１等の演算式により算出して、表示器１１０に出力する濃度算出プログラムとを備えている。なお、上記各演算式中、Ｒは抵抗、Ｑ１は濃塩水の流量、Ｑ２は水道水の流量（減圧弁４２と流量調整弁４３によって一定とされている）、ｂは食塩重量である。
【００１３】
表示器１１０は、制御装置１００の濃度算出プログラムにて求められた希塩水の濃度ａ及び濃塩水の濃度Ａを選択的に表示するものであり、表示切替スイッチ１１１を操作することによって、希塩水の濃度ａ又は濃塩水の濃度Ａを表示するようになっている。
【００１４】
上記のように構成した電解水生成装置においては、電解槽１０に供給される希塩水の濃度ａを制御装置１００の濃度算出プログラムによって検出できるとともに表示器１１０に表示することができる。このため、希塩水の濃度ａを使用者が監視することができて、使用者が安心して使用することができることに加えて、表示器１１０に表示される濃度の異常値から制御装置１００の作動制御プログラムあるいは電動ポンプ６１等の異常を察知して適切な対応を行うことができる。
【００１５】
また、電解槽１０での電解電圧Ｖ及び電解電流Ｉと電解槽１０への希塩水の流量Ｑに基づいて上記各演算式によって電解槽１０に供給される希塩水の濃度ａを算出するようにしたため、高価で頻繁に調整が必要な塩濃度センサを使用することなく実施できて、安価かつ容易に実施することができる。
【００１６】
また、希塩水の濃度ａとともに濃塩水の濃度Ａを算出できるため、表示器１１０に表示される濃塩水の濃度Ａの低下によって、濃塩水タンク５０内の食塩５１の不足を的確に把握することができて、食塩をタイミングよく補給することができる。
【００１８】
また、上記実施形態においては、希塩水の供給路２３に水道水の供給路２４と濃塩水の供給路２５を接続することにより、水道水に濃塩水を圧送混合して被処理水である希塩水を生成するタイプの電解水生成装置に本発明を実施したが、被処理水である希塩水が希塩水タンクにて予め生成されるタイプの電解水生成装置にも同様に本発明は実施可能である。なお、この場合には電流計７２は設けるには及ばない。
【図面の簡単な説明】
【図１】  本発明による電解水生成装置の一実施形態を概略的に示す全体図である。
【符号の説明】
１０…電解槽、２３…希塩水の供給路、２４…水道水の供給路、２５…濃塩水の供給路、３０…直流電源、４２…減圧弁、４３…流量調整弁、７１…流量センサ、７２…電流計、１００…制御装置、１１０…表示器（表示手段）。
【図１】
0003927297.tif 000002